(57)【特許請求の範囲】
【請求項１】
ベランダに鉛直に固定される固定枠（１）と、揺動枠（２）と、伸縮枠（３）と、を含むソーラーパネルホルダーであって、
前記揺動枠（２）と前記伸縮枠（３）とは、いずれも矩形枠状を成し、
前記揺動枠（２）の上端は、前記固定枠（１）にヒンジピンによって接続され、
前記伸縮枠（３）と前記揺動枠（２）とは、平行して設置され、且つ前記伸縮枠（３）が前記揺動枠（２）に前記揺動枠（２）の縦方向に沿って摺動可能に接続され、
前記固定枠（１）には、回転可能な主軸（５）が横方向に沿って接続され、
前記主軸（５）と前記伸縮枠（３）との間には、前記主軸（５）が回転する時に、前記伸縮枠（３）を移動させる伝動機構が設置され、
前記固定枠（１）には、前記揺動枠（２）が上方に揺動して角度を設定する時に、前記揺動枠（２）と当接することによって前記揺動枠（２）の位置を規制する位置規制部品が設置され、
前記主軸（５）には、駆動スリーブ（５１）と、位置決めスリーブ（１３）と伝動スリーブ（２５）とが外装され、
前記駆動スリーブ（５１）は、前記主軸（５）に固定され、
前記位置決めスリーブ（１３）は、前記固定枠（１）に固定され、
前記伝動スリーブ（２５）は、横方向に沿って前記揺動枠（２）に摺動可能に接続され、且つ前記揺動枠（２）と円周方向に位置決められ、
前記伝動スリーブ（２５）は、前記駆動スリーブ（５１）と前記位置決めスリーブ（１３）との間に位置し、
前記伝動スリーブ（２５）は、前記駆動スリーブ（５１）に押圧されるまで前記駆動スリーブ（５１）へ移動する時に、一端が前記駆動スリーブ（５１）と円周方向において位置決められ、
前記伝動スリーブ（２５）は、前記位置決めスリーブ（１３）へ移動する時に、他端が前記位置決めスリーブ（１３）と円周方向において位置決められ、
前記伸縮枠（３）には、前記位置規制部品と前記揺動枠（２）とが離間状態にある時に、前記伝動スリーブ（２５）に当接して前記伝動スリーブ（２５）の一端を前記駆動スリーブ（５１）に押圧することで円周方向における位置決めを形成する押し棒（３３）を有し、
前記押し棒（３３）は、前記揺動枠（２）と前記位置規制部品とが互いに当接する時に、前記伝動スリーブ（２５）から離脱でき、
前記駆動スリーブ（５１）は、前記押し棒（３３）が前記伝動スリーブ（２５）から離脱した時に、前記伝動スリーブ（２５）と前記位置決めスリーブ（１３）とに円周方向における位置決めを形成させるように、前記伝動スリーブ（２５）を押すことができる、
ことを特徴とするソーラーパネルホルダー。
【請求項２】
前記固定枠（１）は、横方向における両端のそれぞれに装着支持台を有し、
前記装着支持台（１１）の一側のそれぞれには、装着套管が横方向に沿って固定され、
前記揺動枠（２）の上部縁の両端には、それぞれ連節スリーブ（２３）を有し、
二つの前記連節スリーブ（２３）は、それぞれ二つの前記装着套管に外装され、
前記装着套管の内孔は、前記装着支持台（１１）の他側まで延在するように貫通しており、
前記主軸（５）は、横方向に沿って前記装着支持台（１１）と前記装着套管を貫通しており、
前記主軸（５）は、前記装着支持台（１１）に回転可能に接続され、
前記固定枠（１）には、駆動モータ（１２）がさらに固定され、
前記駆動モータ（１２）のモータ軸は、前記主軸（５）の一端と接続される、
ことを特徴とする請求項１に記載のソーラーパネルホルダー。
【請求項３】
前記位置規制部品は、前記装着支持台（１１）に固定される位置規制板（１１１）を含み、
前記位置規制板（１１１）は、鉛直方向に対して傾斜して設置され、
前記位置規制板（１１１）は、前記揺動枠（２）が上方へ揺動して角度を設定する時に、前記揺動枠（２）の上側面と当接することができる、
ことを特徴とする請求項２に記載のソーラーパネルホルダー。
【請求項４】
前記揺動枠（２）の上端の縁には、横方向に沿って連結スリーブ（２４）が固定して接続され、
前記伝動スリーブ（２５）は、連結スリーブ（２４）の内部に摺動可能に穿設され、
前記伝動スリーブ（２５）と前記連結スリーブ（２４）とは、スプラインによって接続される、
ことを特徴とする請求項３に記載のソーラーパネルホルダー。
【請求項５】
前記伝動スリーブ（２５）の一端端面には、複数の従動歯（２５１）が円周方向に配列され、
前記駆動スリーブ（５１）の前記伝動スリーブ（２５）と対向する端面には、複数の主動歯（５１１）が円周方向に配列され、
前記従動歯（２５１）は、前記伝動スリーブ（２５）が前記駆動スリーブ（５１）に押圧される時に、前記主動歯（５１１）と噛み合い、
前記伝動スリーブ（２５）の他端端面には、複数の位置決め突起部（２５２）が円周方向に配列され、
前記位置決めスリーブ（１３）の前記伝動スリーブ（２５）と対向する端面には、複数の位置決め溝（１３１）が円周方向に配列されるように形成され、
複数の前記位置決め突起部（２５２）は、前記駆動スリーブ（５１）が前記伝動スリーブ（２５）を押す時に、それぞれ複数の前記位置決め溝（１３１）の内部に嵌め込まれることができる、
ことを特徴とする請求項３又は請求項４に記載のソーラーパネルホルダー。
【請求項６】
前記押し棒（３３）の側面には、前記伝動スリーブ（２５）の方向へ突起する押上突起部（３４）を有し、
前記押上突起部（３４）は、支持平面（３４１）と押上斜面（３４２）とを有し、
前記支持平面（３４１）は、前記伝動スリーブ（２５）の端面を向くように縦方向に設けられ、
前記押上斜面（３４２）の下端は、前記支持平面（３４１）の上端と接続され、
前記押上斜面（３４２）の上端は、前記伝動スリーブ（２５）から離間する方向へ傾斜して設けられ、
前記伝動スリーブ（２５）の外周面には、伝動棒（２５３）が横方向に沿って固定して設けられ、
前記伝動棒（２５３）の端部には、伝動車（２５４）がヒンジピンによって接続され、
前記揺動枠（２）と前記位置規制部品とが離間する時には、前記伝動車（２５４）が前記支持平面（３４１）に当接し、
前記揺動枠（２）と前記位置規制部品とが当接する時には、前記伝動車（２５４）が前記押上突起部（３４）から離れるまで前記押上斜面（３４２）に沿って転がる、
ことを特徴とする請求項５に記載のソーラーパネルホルダー。
【請求項７】
前記支持平面（３４１）と前記押上斜面（３４２）との連結部には、装着溝（３４３）が形成され、
前記装着溝（３４３）の内部には、緩衝ブロック（３４４）が横方向に沿って摺動可能に接続され、
前記装着溝（３４３）の内部には、弾性皿ばね（３４６）が設置され、
前記弾性皿ばね（３４６）の両端は、それぞれ前記装着溝（３４３）と前記緩衝ブロック（３４４）の内端面に当接し、
前記緩衝ブロック（３４４）の外端面は、過渡面（３４５）とされ、
前記過渡面（３４５）の両端は、前記弾性皿ばね（３４６）の作用によってそれぞれ前記支持平面（３４１）と前記押上斜面（３４２）と組み合わせられる、
ことを特徴とする請求項６に記載のソーラーパネルホルダー。
【請求項８】
前記揺動枠（２）には、二つの案内軸（２６）が縦方向に沿って固定され、
前記伸縮枠（３）の上端には、複数の案内スリーブ（３５）が固定され、
複数の前記案内スリーブ（３５）のそれぞれは、複数の前記案内軸（２６）に外装される、
ことを特徴とする請求項３又は請求項４に記載のソーラーパネルホルダー。
【請求項９】
前記伝動機構は、伝動歯車（２７）と伝動ラック（３６）とを含み、
前記伝動ラック（３６）は、縦方向に沿って前記伸縮枠（３）に固定され、
前記伝動歯車（２７）は、前記揺動枠（２）の下端に回転可能に接続され、
前記伝動歯車（２７）と前記伝動ラック（３６）とは、噛み合って設けられ、
前記主軸（５）には、主動プーリ（５２）が固定され、
前記伝動歯車（２７）には、従動プーリ（２８）が固定され、
前記主動プーリ（５２）は、伝動ベルト（５３）によって前記従動プーリ（２８）と接続される、
ことを特徴とする請求項３又は請求項４に記載のソーラーパネルホルダー。
【発明の詳細な説明】
【技術分野】
【０００１】
本発明はソーラーエネルギー装置の技術分野に関し、特にソーラーパネルホルダーに関する。
【背景技術】
【０００２】
ソーラーパネルは新エネルギー装置として、複数の太陽電池から組み立てられた組立部品であり、太陽光発電システムにおける最も重要なコア部分である。ソーラーパネルはソーラーエネルギーを電気エネルギーに転換して貯蔵でき、生活にもよく見られている。ソーラーパネルが日常生活における普及によって、たくさんのベランダの外周にもソーラーパネルが装着されるようになる。ソーラーパネルは普通ベランダの立面に鉛直に貼り付けられるように装着され、且つベランダの立面の高さに限りがあるため、下層の照明に対する影響を回避するように、ソーラーパネルの高さを規制することになる。もしソーラーパネルを前方へ傾斜して装着すれば、長時間の使用によって上方からの転落物に傷つけられるため、現在、ベランダの外周に装着されるソーラーパネルは、光に照射される面積が小さく、効率が低下するデメリットを有する。
【先行技術文献】
【特許文献】
【０００３】
【特許文献１】中国特許出願公開第１０５３０５９４４号明細書
【発明の概要】
【発明が解決しようとする課題】
【０００４】
本発明は、上記の技術的課題を解決するために、ソーラーパネルホルダーを提供することを目的とする。本発明に関わるソーラーパネルホルダーはソーラーパネルの角度を調整するとともにソーラーパネルを伸縮することができる。
【課題を解決するための手段】
【０００５】
上記の目的を実現するために、本発明のある態様によれば、ベランダに鉛直に固定される固定枠と、揺動枠と、伸縮枠と、を含み、前記揺動枠と前記伸縮枠とは、いずれも矩形枠状を成し、前記揺動枠の上端は、前記固定枠にヒンジピンによって接続され、前記伸縮枠と前記揺動枠とは、平行して設置され、且つ前記伸縮枠が前記揺動枠に前記揺動枠の縦方向に沿って摺動可能に接続され、前記固定枠には、回転可能な主軸が横方向に沿って接続され、前記主軸と前記伸縮枠との間には、前記主軸が回転する時に、前記伸縮枠を移動させる伝動機構が設置され、前記固定枠には、前記揺動枠が上方に揺動して角度を設定する時に、前記揺動枠と当接することによって前記揺動枠の位置を規制する位置規制部品が設置され、前記主軸には、駆動スリーブと、位置決めスリーブと伝動スリーブとが外装され、前記駆動スリーブは、前記主軸に固定され、前記位置決めスリーブは、前記固定枠に固定され、前記伝動スリーブは、横方向に沿って前記揺動枠に摺動可能に接続され、且つ前記揺動枠と円周方向に位置決められ、前記伝動スリーブは、前記駆動スリーブと前記位置決めスリーブとの間に位置し、前記伝動スリーブは、前記駆動スリーブに押圧されるまで前記駆動スリーブへ移動する時に、一端が前記駆動スリーブと円周方向において位置決められ、前記伝動スリーブは、前記位置決めスリーブへ移動する時に、他端が前記位置決めスリーブと円周方向において位置決められ、前記伸縮枠には、前記位置規制部品と前記揺動枠とが離間状態にある時に、前記伝動スリーブに当接して前記伝動スリーブの一端を前記駆動スリーブに押圧することで円周方向における位置決めを形成する押し棒を有し、前記押し棒は、前記揺動枠と前記位置規制部品とが互いに当接する時に、前記伝動スリーブから離脱でき、前記駆動スリーブは、前記押し棒が前記伝動スリーブから離脱した時に、前記伝動スリーブと前記位置決めスリーブとに円周方向における位置決めを形成させるように、前記伝動スリーブを押すことができる。
【０００６】
本発明のある態様によれば、前記揺動枠と前記伸縮枠との上には、ソーラーパネルを装着でき、前記固定枠は、ベランダに固定して装着され、使用しない時には、前記揺動枠は、鉛直に下方を向いており、前記伸縮枠は、ベランダの立面と対向になるように、前記揺動枠の後ろ側に縮むため、ベランダ下方の空間を占用することなく、また、前記押し棒は、前記伝動スリーブに働き、前記伝動スリーブと前記駆動スリーブとは、円周方向に位置決められ、使用する時には、回転する前記主軸は、前記駆動スリーブと前記伝動スリーブとによって前記揺動枠を揺動させ、前記揺動枠が前記位置規制部品と当接して引き続き揺動できなくなると、前記押し棒は前記伝動スリーブから離脱し、前記駆動スリーブは、前記伝動スリーブと前記位置決めスリーブとが組み合わせられて円周方向において位置決めを形成するまで、軸方向に沿って前記伝動スリーブを押すことができ、すなわち、前記揺動枠が位置決められ、前記伝動スリーブと離れた前記駆動スリーブは、前記主軸に従って引き続き回転することで、前記伸縮枠を引き続き伸び出させ、すなわち、一つのみの動力源で前記揺動枠の揺動と前記伸縮枠の伸縮が実現される。
【０００７】
本発明のある態様によれば、前記固定枠は、横方向における両端のそれぞれに装着支持台を有し、前記装着支持台の一側のそれぞれには、装着套管が横方向に沿って固定され、前記揺動枠の上部縁の両端には、それぞれ連節スリーブを有し、二つの前記連節スリーブは、それぞれ二つの前記装着套管に外装され、前記装着套管の内孔は、前記装着支持台の他側まで延在するように貫通しており、前記主軸は、横方向に沿って前記装着支持台と前記装着套管を貫通しており、前記主軸は、前記装着支持台に回転可能に接続され、前記固定枠には、駆動モータがさらに固定され、前記駆動モータのモータ軸は、前記主軸の一端と接続される。前記主軸は、前記装着套管と前記連節スリーブとを貫通し、前記揺動枠が位置決めされた後にも、前記主軸は、前記揺動枠に対し空回りできるため、前記伸縮枠の伸縮が実現される。
【０００８】
本発明のある態様によれば、前記位置規制部品は、前記装着支持台に固定される位置規制板を含み、前記位置規制板は、鉛直方向に対して傾斜して設置され、前記位置規制板は、前記揺動枠が上方へ揺動して角度を設定する時に、前記揺動枠の上側面と当接することができる。前記揺動枠の位置を規制するように、前記位置規制板の傾斜角度を、前記揺動枠が位置決められる時の傾斜角度によって設置することで、前記駆動スリーブは、軸方向に沿って前記伝動スリーブを押すことができ、他の動力源を利用して前記伝動スリーブを切り替えることを必要としない。
【０００９】
本発明のある態様によれば、前記揺動枠の上端の縁には、横方向に沿って連結スリーブが固定して接続され、前記伝動スリーブは、連結スリーブの内部に摺動可能に穿設され、前記伝動スリーブと前記連結スリーブとは、スプラインによって接続される。これによって、前記伝動スリーブと前記揺動枠とを円周方向に位置決めするとともに、軸方向に移動できる。
【００１０】
本発明のある態様によれば、前記伝動スリーブの一端端面には、複数の従動歯が円周方向に配列され、前記駆動スリーブの前記伝動スリーブと対向する端面には、複数の主動歯が円周方向に配列され、前記従動歯は、前記伝動スリーブが前記駆動スリーブに押圧される時に、前記主動歯と噛み合い、前記伝動スリーブの他端端面には、複数の位置決め突起部が円周方向に配列され、前記位置決めスリーブの前記伝動スリーブと対向する端面には、複数の位置決め溝が円周方向に配列されるように形成され、複数の前記位置決め突起部は、前記駆動スリーブが前記伝動スリーブを押す時に、それぞれ複数の前記位置決め溝の内部に嵌め込まれることができる。前記押し棒が前記伝動スリーブに働く時に、前記伝動スリーブの前記従動歯が前記駆動スリーブの前記主動歯と噛み合うため、前記駆動スリーブは、前記伝動スリーブを回転させることができ、前記揺動枠と前記位置規制板とが当接する時に、前記押し棒が前記伝動スリーブから離脱し、この時に、前記主動歯は前記従動歯を押すことができるため、前記伝動スリーブは、前記位置決め突起部が前記位置決め溝の内部に嵌め込まれるまで、軸方向に移動することで、前記伝動スリーブと前記位置決めスリーブとを円周方向に位置決めするとともに、前記駆動スリーブと前記伝動スリーブを離間させる。
【００１１】
本発明の他の態様によれば、前記押し棒の側面には、前記伝動スリーブの方向へ突起する押上突起部を有し、前記押上突起部は、支持平面と押上斜面とを有し、前記支持平面は、前記伝動スリーブの端面を向くように縦方向に設けられ、前記押上斜面の下端は、前記支持平面の上端と接続され、前記押上斜面の上端は、前記伝動スリーブから離間する方向へ傾斜して設けられ、前記伝動スリーブの外周面には、伝動棒が横方向に沿って固定して設けられ、前記伝動棒の端部には、伝動車がヒンジピンによって接続され、前記揺動枠と前記位置規制部品とが離間する時には、前記伝動車が前記支持平面に当接し、前記揺動枠と前記位置規制部品とが当接する時には、前記伝動車が前記押上突起部から離れるまで前記押上斜面に沿って転がる。前記揺動枠と前記位置規制板とが当接する時には、前記伸縮枠はちょうど、前記押上突起部と前記伝動車とが離れるまで、延出し、この時に、前記伝動スリーブが支持されなくなり、前記揺動枠は、前記位置規制板に位置を規制されるため引き続き揺動できないことで、前記駆動スリーブは軸方向に前記伝動スリーブを押すことができ、同様に、本発明のソーラーパネルホルダーを縮める時に、まず前記伸縮枠は、前記押上突起部の前記押上斜面が前記伝動車を押すまで、縮むことで、前記伝動スリーブと前記位置決めスリーブとが次第に離れ、前記伝動スリーブと前記位置決めスリーブとが離れる時に前記伝動車が支持平面に当接し、この時に前記伝動スリーブが前記駆動スリーブと噛み合い、前記主軸は前記揺動枠を下方に揺動させることができる。
【００１２】
本発明の他の態様によれば、前記支持平面と前記押上斜面との連結部には、装着溝が形成され、前記装着溝の内部には、緩衝ブロックが横方向に沿って摺動可能に接続され、前記装着溝の内部には、弾性皿ばねが設置され、前記弾性皿ばねの両端は、それぞれ前記装着溝と前記緩衝ブロックの内端面に当接し、前記緩衝ブロックの外端面は、過渡面とされ、前記過渡面の両端は、前記弾性皿ばねの作用によってそれぞれ前記支持平面と前記押上斜面と組み合わせられる。前記揺動枠と前記位置規制板とが離れたままに、前記伝動突起部と前記伝動車とが離れると、この時に前記伝動スリーブの回転程度が不足であることによって、前記伝動スリーブと前記位置決めスリーブとの組み合わせがしにくくなり、もし前記揺動枠と前記位置規制板とが当接した後に、前記支持平面と前記伝動車とが当接したままであれば、本発明はつまって機能しなくなるため、前記押上突起部に前記装着溝を形成させ、前記装着溝の内部に前記緩衝ブロックを設置することで、臨界状態の過渡緩衝を実現でき、前記揺動枠と前記位置規制板とが当接する時には、前記主動歯が前記従動歯を押し、前記伝動車は前記緩衝ブロックを押圧してから前記支持平面から離脱することため、機能しなくなることを回避する。
【００１３】
本発明の他の態様によれば、前記揺動枠には、二つの案内軸が縦方向に沿って固定され、前記伸縮枠の上端には、複数の案内スリーブが固定され、複数の前記案内スリーブのそれぞれは、複数の前記案内軸に外装される。これによって前記伸縮枠の安定性と移動性を保証する。
【００１４】
本発明の他の態様によれば、前記伝動機構は、伝動歯車と伝動ラックとを含み、前記伝動ラックは、縦方向に沿って前記伸縮枠に固定され、前記伝動歯車は、前記揺動枠の下端に回転可能に接続され、前記伝動歯車と前記伝動ラックとは、噛み合って設けられ、前記主軸には、主動プーリが固定され、前記伝動歯車には、従動プーリが固定され、前記主動プーリは、伝動ベルトによって前記従動プーリと接続される。前記主軸はプーリ伝動によって前記伝動歯車を回転させることで、前記伸縮枠を伸縮させることができる。
【発明の効果】
【００１５】
本発明は、従来技術に比べ、具体的には以下の改良及び利点を有する。
【００１６】
使用しない時には、揺動枠は、鉛直に下方を向いており、伸縮枠は、ベランダの立面と対向になるように、揺動枠の後ろ側に縮むため、ベランダ下方の空間を占用することなく、使用する時には、回転する主軸は、揺動枠が位置規制部品と当接して引き続き揺動できなくなるまで、駆動スリーブと伝動スリーブとによって揺動枠を揺動させ、駆動スリーブは、伝動スリーブと位置決めスリーブとが組み合わせられて円周方向において位置決めを形成するまで、軸方向に沿って伝動スリーブを押すことができ、すなわち、揺動枠が位置決められ、伝動スリーブと離れた駆動スリーブは、主軸に従って引き続き回転することで、伸縮枠を引き続き伸び出させ、すなわち、一つのみの動力源で揺動枠の揺動と伸縮枠の伸縮が実現される。
【００１７】
押上突起部に装着溝を形成させ、装着溝の内部に緩衝ブロックを設置することで、臨界状態の過渡緩衝を実現でき、揺動枠と位置規制板とが当接する時には、主動歯が従動歯を押し、伝動車は緩衝ブロックを押圧してから支持平面から離脱することため、機能しなくなることを回避できる。
【００１８】
揺動枠の位置を規制するように、位置規制板の傾斜角度を、揺動枠が位置決められる時の傾斜角度によって設置することで、駆動スリーブは、軸方向に沿って伝動スリーブを押すことができ、他の動力源を利用して伝動スリーブを切り替えることを必要としない。
【図面の簡単な説明】
【００１９】
本願に記載の各方向が、図１と同じ向きに装置を見た際の方向である。
【００２０】
【図１】ソーラーパネルホルダーを縮めた時の側面図である。
【図２】ソーラーパネルホルダーを広げた時の斜視構造概略図である。
【図３】ソーラーパネルホルダーを広げた時の構造側面図である。
【図４】ソーラーパネルホルダーを広げた時の構造概略図である。
【図５】図２におけるＡの部分の拡大図である。
【図６】図２におけるＢの部分の拡大図である。
【図７】図２におけるＣの部分の拡大図である。
【図８】図４におけるＤの部分の拡大図である。
【図９】図２におけるＥの部分の拡大図である。
【図１０】伝動スリーブと駆動スリーブとが噛み合った時の主軸の局部断面図である。
【図１１】伝動車が押上突起部に当接する時の局部断面図である。
【図１２】図４のＦ―Ｆ線に沿う構造断面図である。
【図１３】図１２におけるＧの部分の拡大図である。
【発明を実施するための形態】
【００２１】
以下、図１〜図１３を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００２２】
図１〜図４に示すように、本発明のソーラーパネルホルダーは、ベランダに鉛直に固定される固定枠１と、揺動枠２と、伸縮枠３とを含み、揺動枠２と伸縮枠３とは、いずれも矩形枠状を成し、揺動枠２の上端は、固定枠１にヒンジピンによって接続され、伸縮枠３と揺動枠２とは、平行して設置され、且つ伸縮枠３が揺動枠２に揺動枠２の縦方向に沿って摺動可能に接続され、固定枠１には、回転可能な主軸５が横方向に沿って接続され、主軸５と伸縮枠３との間には、主軸５が回転する時に、伸縮枠３を移動させる伝動機構が設置され、固定枠１には、揺動枠２が上方に揺動して角度を設定する時に、揺動枠２と当接することによって揺動枠の位置を規制する位置規制部品が設置され、主軸５には、駆動スリーブ５１と、位置決めスリーブ１３と伝動スリーブ２５とが外装され、駆動スリーブ５１は、主軸５に固定され、位置決めスリーブ１３は、固定枠１に固定され、伝動スリーブ２５は、横方向に沿って揺動枠２に摺動可能に接続され、且つ揺動枠２と円周方向に位置決められ、伝動スリーブ２５は、駆動スリーブ５１と位置決めスリーブ１３との間に位置し、伝動スリーブ２５は、駆動スリーブ５１に押圧されるまで駆動スリーブへ移動する時に、一端が駆動スリーブ５１と円周方向において位置決められ、また、伝動スリーブ２５は、位置決めスリーブ１３へ移動する時に、他端が位置決めスリーブ１３と円周方向において位置決められ、伸縮枠３には、位置規制部品と揺動枠２とが離間状態にある時に、伝動スリーブ２５に当接して伝動スリーブ２５の一端を駆動スリーブ５１に押圧することで円周方向における位置決めを形成する押し棒３３を有し、押し棒３３は、揺動枠２と位置規制部品とが互いに当接する時に、伝動スリーブ２５から離脱でき、また駆動スリーブ５１は、押し棒３３が伝動スリーブ２５から離脱した時に、伝動スリーブ２５と位置決めスリーブ１３とに円周方向における位置決めを形成させるように伝動スリーブ２５を押すことができる。揺動枠２と伸縮枠３との上には、ソーラーパネルを装着でき、固定枠１は、ベランダに固定して装着され、使用しない時には、揺動枠２は、鉛直に下方を向いており、伸縮枠３は、ベランダの立面と対向になるように、揺動枠２の後ろ側に縮むため、ベランダ下方の空間を占用することなく、また、押し棒３３は、伝動スリーブ２５に働き、伝動スリーブ２５と駆動スリーブ５１とは、円周方向に位置決められ、使用する時には、回転する主軸は、駆動スリーブ５１と伝動スリーブ２５とによって揺動枠２を揺動させ、揺動枠２が位置規制部品と当接して引き続き揺動できなくなると、押し棒３３は伝動スリーブ２５から離脱し、駆動スリーブ５１は、伝動スリーブ２５と位置決めスリーブ１３とが組み合わせられて円周方向において位置決めを形成するまで、軸方向に沿って伝動スリーブ２５を押すことができ、すなわち、揺動枠２が位置決められ、伝動スリーブ２５と離れた駆動スリーブ５１は、主軸５に従って引き続き回転することで、伸縮枠３を引き続き伸び出させ、すなわち、一つのみの動力源で揺動枠２の揺動と伸縮枠３の伸縮が実現される。
【００２３】
図５と図６に示すように、固定枠１は、横方向における両端のそれぞれに装着支持台を有し、装着支持台１１の一側のそれぞれには、装着套管が横方向に沿って固定され、揺動枠２の上部縁の両端には、それぞれ連節スリーブ２３を有し、二つの連節スリーブ２３は、それぞれ二つの装着套管に外装され、装着套管の内孔は、装着支持台１１の他側まで延在するように貫通しており、主軸５は、横方向に沿って装着支持台１１と装着套管を貫通しており、主軸５は、装着支持台１１に回転可能に接続され、固定枠１にはまた駆動モータ１２が固定され、前記駆動モータ１２のモータ軸は、主軸５の一端と接続される。位置規制部品は、装着支持台１１に固定される位置規制板１１１を含み、位置規制板１１１は、鉛直方向に対して傾斜して設置され、且つ位置規制板１１１は、揺動枠２が上方へ揺動して角度を設定する時に、揺動枠２の上側面と当接することができ、揺動枠２の位置を規制するように、位置規制板１１１の傾斜角度を、揺動枠２が位置決められる時の傾斜角度によって設置することで、駆動スリーブ５１は、軸方向に沿って伝動スリーブ２５を押すことができ、他の動力源を利用して伝動スリーブ２５を切り替えることを必要としない。揺動枠２には、二つの案内軸２６が縦方向に沿って固定され、伸縮枠３の上端には、複数の案内スリーブ３５が固定され、複数の前記案内スリーブ３５のそれぞれは、複数の案内軸２６に外装され、伝動機構は、伝動歯車２７と伝動ラック３６とを含み、伝動ラック３６は、縦方向に沿って伸縮枠３に固定され、伝動歯車２７は、揺動枠２の下端に回転可能に接続され、伝動歯車２７と伝動ラック３６とは、噛み合って設けられ、主軸５には、主動プーリ５２が固定され、伝動歯車２７には、従動プーリ２８が固定され、主動プーリ５２は、伝動ベルト５３によって従動プーリ２８と接続される。
【００２４】
図７〜図１１に示すように、揺動枠２の上端の縁には、横方向に沿って連結スリーブ２４が固定して接続され、伝動スリーブ２５は、連結スリーブ２４の内部に摺動可能に穿設され、伝動スリーブ２５と連結スリーブ２４とは、スプラインによって接続され、伝動スリーブ２５の一端端面には、複数の従動歯２５１が円周方向に配列され、駆動スリーブ５１の伝動スリーブ２５と対向する端面には、複数の主動歯５１１が円周方向に配列され、従動歯２５１は、伝動スリーブ２５が駆動スリーブ５１に押圧される時に、主動歯５１１と噛み合い、伝動スリーブ２５の他端端面には、複数の位置決め突起部２５２が円周方向に配列され、位置決めスリーブ１３の伝動スリーブ２５と対向する端面には、複数の位置決め溝１３１が円周方向に配列されるように形成され、複数の位置決め突起部２５２は、駆動スリーブ５１が伝動スリーブ２５を押す時に、それぞれ複数の位置決め溝１３１の内部に嵌め込まれることができる。押し棒３３が伝動スリーブ２５に働く時に、伝動スリーブ２５の従動歯２５１が駆動スリーブ５１の主動歯５１１と噛み合うため、駆動スリーブ５１は、伝動スリーブ２５を回転させることができ、揺動枠２と位置規制板１１１とが当接する時に、押し棒３３が伝動スリーブ２５から離脱し、この時に、主動歯５１１は従動歯２５１を押すことができるため、伝動スリーブ２５は、位置決め突起部２５２が位置決め溝１３１の内部に嵌め込まれるまで、軸方向に移動することで、伝動スリーブ２５と位置決めスリーブ１３とを円周方向に位置決めするとともに、駆動スリーブ５１と伝動スリーブ２５を離間させる。押し棒３３の側面には、伝動スリーブ２５の方向へ突起する押上突起部３４を有し、前記押上突起部３４は、支持平面３４１と押上斜面３４２とを有し、支持平面３４１は、伝動スリーブ２５の端面を向くように縦方向に設けられ、押上斜面３４２の下端は、支持平面３４１の上端と接続され、押上斜面３４２の上端は、伝動スリーブ２５から離間する方向へ傾斜して設けられ、伝動スリーブ２５の外周面には、伝動棒２５３が横方向に沿って固定して設けられ、伝動棒２５３の端部には、伝動車２５４がヒンジピンによって接続され、揺動枠２と位置規制部品とが離間する時には、伝動車２５４は支持平面３４１に当接し、揺動枠２と位置規制部品とが当接する時には、伝動車２５４は、押上突起部３４から離れるまで押上斜面３４２に沿って転がり、揺動枠２と位置規制板１１１とが当接する時には、伸縮枠３はちょうど、押上突起部３４と伝動車２５４とが離れるまで伸び出し、この時に、伝動スリーブ２５が支持されなくなり、揺動枠２は、位置規制板１１１に位置を規制されるため引き続き揺動できないことで、駆動スリーブ５１は軸方向に伝動スリーブ２５を押すことができ、同様に、本発明のソーラーパネルホルダーを縮める時に、まず伸縮枠３は、押上突起部３４の押上斜面が伝動車２５４を押すまで縮むことで、伝動スリーブ２５と位置決めスリーブ１３とが次第に離れ、伝動スリーブ２５と位置決めスリーブ１３とが離れる時に伝動車２５４が支持平面３４１に当接し、この時に伝動スリーブ２５が駆動スリーブ５１と噛み合い、主軸５は揺動枠２を下方に揺動させることができる。支持平面３４１と押上斜面３４２との連結部には、装着溝３４３が形成され、装着溝３４３の内部には、緩衝ブロック３４４が横方向に沿って摺動可能に接続され、装着溝３４３の内部には、弾性皿ばね３４６が設置され、弾性皿ばね３４６の両端は、それぞれ装着溝３４３と緩衝ブロック３４４の内端面に当接し、緩衝ブロック３４４の外端面は、過渡面３４５とされ、過渡面３４５の両端は、弾性皿ばね３４６の作用によってそれぞれ支持平面３４１と押上斜面３４２と組み合わせられる。揺動枠２と位置規制板１１１とが離れたままに、伝動突起部と伝動車２５４とが離れると、この時に伝動スリーブ２５の回転程度が不足であることによって、伝動スリーブ２５と位置決めスリーブ１３との組み合わせがしにくくなり、もし揺動枠２と位置規制板１１１とが当接した後に、支持平面３４１と伝動車２５４とが当接したままであれば、本発明はつまって機能しなくなるため、押上突起部３４に装着溝３４３を形成させ、装着溝３４３の内部に緩衝ブロック３４４を設置することで、臨界状態の過渡緩衝を実現でき、揺動枠２と位置規制板１１１とが当接する時には、主動歯５１１が従動歯２５１を押し、伝動車２５４は緩衝ブロック３４４を押圧してから支持平面３４１から離脱することため、機能しなくなることを回避する。
【００２５】
図１２と図１３に示すように、ソーラーパネルホルダーは、また矩形枠状の上昇枠４を含み、上昇枠４と伸縮枠３とは、平行して設置され、且つ伸縮枠３の所在する平面に鉛直する方向に沿って伸縮枠３に摺動可能に接続され、上昇板は、ソーラーパネルを固定でき、伸縮枠３には、複数の支持柱３１が垂直に固定され、上昇枠４には、複数の支持スリーブ４１が固定され、複数の支持スリーブ４１のそれぞれは、複数の支持柱３１に摺動可能に外装され、伸縮枠３と上昇枠４との間には、二対のリンク３２が設置され、二対の前記リンク３２は、横方向に沿って配列され、同一対の二つのリンク３２は、中部に互いに交わるように、ヒンジピンによって接続され、同一対のリンク３２は、一端がいずれも縦方向に沿って伸縮枠３に摺動可能に接続され、他端がいずれも縦方向に沿って上昇枠４に摺動可能に接続され、揺動枠２は、鉛直に下方を向いて設けられる、あるいは下方に傾斜して設けられるため、支持スリーブ４１と支持柱３１との組み合わせによって、伸縮枠３は上昇枠４を支持でき、上昇枠４は、上昇時に二対のリンク３２を通るため、支持力を受けて安定性がいい。案内機構は、二対の案内車４２を含み、二対の案内車４２のそれぞれは、上昇枠４の上端における両側の縁に回転可能に接続され、同一対の二つの案内車４２は、縦方向に沿って配列され、且つ同一対の二つの案内車４２のうち、一つの案内車４２は他方の案内車４２より高く、揺動枠２の横方向における両側の下縁には、その長手方向にそって案内板２１が固定され、案内板２１の下端は、いずれも揺動枠２の下縁から延出し、二つの案内板２１の内側面には、いずれもその長手方向に沿って二つの案内溝２２が、一つの案内溝２２が他方の案内溝２２より高くなるように、形成され、同一側の二つの案内車４２のそれぞれは、同一側の二つの案内溝２２の内部に接続され、且つ高目の案内車４２は、高目の案内溝２２の内部に接続され、低目の案内車４２は、低目の案内溝２２の内部に接続され、上昇枠４と揺動枠２とが位置をずらすまで伸縮枠３が延出した時、案内溝２２は案内車４２を持ち上げることができる。位置をずらした二つの案内車４２は二つの案内溝２２と係合し、案内溝２２が案内車４２を持ち上げる時に、二つの案内車４２は上昇枠４に対してよりいい持上げ作用を果たすことができ、また、上昇枠４と揺動枠２とが面一になると、二つの案内車４２は上昇枠４に対してよりいい支持作用を果たすことができる。案内溝２２は、案内段２２１と、上昇段２２２と、支持段２２３とを含み、案内段２２１と支持段２２３とは、案内板２１の長手方向に沿って設けられ、且つ支持段２２３は案内段２２１より高くなり、上昇段２２２は、案内段２３１と支持段２２３との間に位置するように、傾斜して設けられ、上昇段２２２の下端は、支持段２２３の上端と接続され、案内車４２が案内段２２１に沿って転がる時に、上昇枠４は揺動枠２の下方に位置し且つ前方へ延出し、案内車４２が上昇段２２２に沿って転がる時には、上昇枠４が上昇し、案内車４２が支持段２２３の内部に位置するときには、上昇枠４が揺動枠２と面一にある。
【符号の説明】
【００２６】
１  固定枠
１１  装着支持台
１１１  位置規制板
１２  駆動モータ
１３  位置決めスリーブ
１３１  位置決め溝
２  揺動枠
２１  案内板
２２  案内溝
２２１  案内段
２２２  上昇段
２２３  支持段
２３  連節スリーブ
２４  連結スリーブ
２５  伝動スリーブ
２５１  従動歯
２５２  位置決め突起部
２５３  伝動棒
２５４  伝動車
２６  案内軸
２７  伝動歯車
２８  従動プーリ
３  伸縮枠
３１  支持枠
３２  リンク
３３  押し棒
３４  押上突起部
３４１  支持平面
３４２  押上斜面
３４３  装着溝
３４４  緩衝ブロック
３４５  過渡面
３４６  弾性皿ばね
３５  案内スリーブ
３６  伝動ラック
４  上昇枠
４１  支持スリーブ
４２  案内車
５  主軸
５１  駆動スリーブ
５１１  主動歯
５２  主動プーリ
５３  伝動ベルト
【要約】      （修正有）【課題】ソーラーパネルの角度を調整するとともに伸縮することができるソーラーパネルホルダーを提供する。【解決手段】ベランダに鉛直に固定される固定枠１と、揺動枠２と、伸縮枠３と、を含み、揺動枠２の上端は、固定枠１にヒンジピンによって接続され、伸縮枠３は、揺動枠２に摺動可能に接続され、固定枠１には、回転可能な主軸が横方向に沿って接続され、主軸と伸縮枠３との間には、伝動機構が設置され、固定枠１には、位置規制部品が設置され、主軸には、駆動スリーブと、位置決めスリーブと伝動スリーブとが外装され、伸縮枠３には、伝動スリーブに当接して伝動スリーブと駆動スリーブとを円周方向に位置決めする押し棒３３を有し、駆動スリーブは、押し棒３３が伝動スリーブから離脱した時に、伝動スリーブと位置決めスリーブとに円周方向における位置決めを形成させるように伝動スリーブを押し上げることができる。【選択図】図１【図１】
0006983284.tif 000002
【図２】
0006983284.tif 000003
【図３】
0006983284.tif 000004
【図４】
0006983284.tif 000005
【図５】
0006983284.tif 000006
【図６】
0006983284.tif 000007
【図７】
0006983284.tif 000008
【図８】
0006983284.tif 000009
【図９】
0006983284.tif 000010
【図１０】
0006983284.tif 000011
【図１１】
0006983284.tif 000012
【図１２】
0006983284.tif 000013
【図１３】
0006983284.tif 000014